(57)【要約】      （修正有）【課題】潤滑油組成物の金属摩擦低減能が高く、剪断安定性に優れ、ＨＴＨＳ粘度が低く、低温粘度を上昇させ難い粘度指数向上剤の提供。【解決手段】下記一般式（１）で示される単量体（ａ）を必須構成単量体とする共重合体（Ａ）を含有する粘度指数向上剤。2016028138.tif 000013［Ｒ１はＨ又はメチル基；Ｘ１はＯ又はＮＨ；Ｒ２はＣ２〜４の直鎖又は分岐アルキレン基；ｐは０〜２０の整数；ｐが２以上の場合のＲ２は同一でも異なっていてもよく、（Ｒ２Ｏ）ｐ部分はランダム結合でもブロック結合でもよい；ＹはＣ１〜５の直鎖又は分岐アルキレン基；Ｒ３は各々独立にＣ１〜８のアルキル基］【選択図】なし【特許請求の範囲】
【請求項１】
下記一般式（１）で示される単量体（ａ）を必須構成単量体とする（共）重合体（Ａ）を含有する粘度指数向上剤。
【化１】
2016028138.tif 000009
［Ｒ１は水素原子又はメチル基；−Ｘ１−は−Ｏ−又は−ＮＨ−で表される基であって、Ｒ２は炭素数２〜４の直鎖又は分岐アルキレン基であり、ｐは０〜２０の整数であり、ｐが２以上の場合のＲ２は同一でも異なっていてもよく、（Ｒ２Ｏ）ｐ部分はランダム結合でもブロック結合でもよい；−Ｙ−は炭素数１〜５の直鎖又は分岐アルキレン基；Ｒ３はそれぞれ独立に炭素数１〜８のアルキル基］
【請求項２】
（Ａ）の溶解性パラメーターと基油の溶解性パラメーターの差の絶対値が０．５〜１．６である請求項１に記載の粘度指数向上剤。
【請求項３】
（Ａ）が、構成単位として（Ａ）の重量に基づいて（ａ）を１〜６０重量％含有してなる共重合体である請求項１又は２に記載の粘度指数向上剤。
【請求項４】
単量体（ａ）において、Ｒ２が炭素数２〜３の直鎖又は分岐アルキレン基であり、Ｒ３がそれぞれ独立に炭素数１〜２のアルキル基である請求項１〜３のいずれかに記載の粘度指数向上剤。
【請求項５】
（Ａ）が、（Ａ）の構成単量体として更にアルキル基の炭素数１〜４の直鎖アルキル基を有する（メタ）アクリル酸アルキルエステル（ｂ）及び／又はアルキル基の炭素数１２〜３６の直鎖アルキル基を有する（メタ）アクリル酸アルキルエステル（ｃ）を含有してなる共重合体である請求項１〜４のいずれかに記載の粘度指数向上剤。
【請求項６】
（Ａ）が、構成単量体として（Ａ）の重量に基づいて（ａ）を５〜５０重量％、（ｂ）を５〜６０重量％、（ｃ）を１〜８０重量％含有する共重合体である請求項５に記載の粘度指数向上剤。
【請求項７】
（Ａ）が、更に一般式（２）で表される単量体（ｄ）を構成単量体とする共重合体である請求項１〜６のいずれかに記載の粘度指数向上剤。
【化２】
2016028138.tif 000010
［Ｒ４は水素原子又はメチル基；−Ｘ２−は−Ｏ−、−Ｏ（ＡＯ）ｍ−又は−ＮＨ−で表される基であって、Ａは炭素数２〜４の直鎖又は分岐アルキレン基であり、ｍは０〜２０の整数であり、ｍが２以上の場合のＡは同一でも異なっていてもよく、（ＡＯ）ｍ部分はランダム結合でもブロック結合でもよい；Ｒ５はイソブチレン及び／又は１，２−ブチレンを必須構成単位とする炭化水素重合体から水素原子を１つ除いた残基；ｑは０又は１の数］
【請求項８】
（Ａ）が、更に一般式（３）で表される単量体（ｅ）を構成単量体とする共重合体である請求項１〜７のいずれかに記載の粘度指数向上剤。
【化３】
2016028138.tif 000011
［Ｒ６は水素原子又はメチル基；−Ｘ３−は−Ｏ−又は−ＮＨ−で表される基；Ｒ７は炭素数２〜４の直鎖又は分岐アルキレン基；Ｒ８は炭素数１〜８の直鎖アルキル基；ｒは１〜２０の整数であり、ｒが２以上の場合のＲ７は同一でも異なっていてもよく、（Ｒ７Ｏ）ｒ部分はランダム結合でもブロック結合でもよい。］
【請求項９】
（Ａ）が、更に一般式（４）で表される単量体（ｆ）を構成単量体とする共重合体である請求項１〜８のいずれかに記載の粘度指数向上剤。
【化４】
2016028138.tif 000012
［Ｒ９は水素原子又はメチル基；−Ｘ４−は−Ｏ−又は−ＮＨ−で表される基；Ｒ１０は炭素数２〜４の直鎖又は分岐アルキレン基；Ｒ１１、Ｒ１２はそれぞれ独立に炭素数４〜２４の直鎖アルキル基；ｓは０〜２０の整数であり、ｓが２以上の場合のＲ１０は同一でも異なっていてもよく、（Ｒ１０Ｏ）ｓ部分はランダム結合でもブロック結合でもよい。］
【請求項１０】
（Ａ）が、更に窒素原子含有単量体（但し、（ａ）と（ｄ）〜（ｆ）を除く）（ｇ）、水酸基含有単量体（ｈ）、及びリン原子含有単量体（ｉ）からなる群から選ばれる１種以上を構成単量体とする共重合体である請求項１〜９のいずれかに記載の粘度指数向上剤。
【請求項１１】
（Ａ）の重量平均分子量が５，０００〜２，０００，０００である請求項１〜１０のい
ずれかに記載の粘度指数向上剤。
【請求項１２】
更に、（Ａ）以外の（共）重合体（Ｂ）を、（Ａ）の重量に基づいて０．０１〜３０重量％含有してなる請求項１〜１１のいずれかに記載の粘度指数向上剤。
【請求項１３】
請求項１〜１２のいずれかに記載の粘度指数向上剤及び基油を含有してなる潤滑油組成物。
【請求項１４】
更に、清浄剤、分散剤、酸化防止剤、油性向上剤、摩擦摩耗調整剤、極圧剤、消泡剤、抗乳化剤及び腐食防止剤からなる群から選ばれる少なくとも１種の添加剤を含有してなる請求項１３に記載の潤滑油組成物。
【請求項１５】
基油の１００℃の動粘度が１〜１５ｍｍ２／ｓであり、かつ基油の粘度指数が１１０以上である請求項１３又は１４に記載の潤滑油組成物。
【発明の詳細な説明】
【技術分野】
【０００１】
本発明は、粘度指数向上剤及び粘度指数向上剤を含有してなる潤滑油組成物に関する。
【背景技術】
【０００２】
近年、ＣＯ２排出量低減及び石油資源保護等の実現のために、自動車の省燃費化がより一層要求されている。省燃費化の一つとして、エンジン油の低粘度化による粘性抵抗の低減が挙げられる。しかし、低粘度化するとピストン／シリンダー表面等の金属接触による焼付きといった問題が生じてくる。この問題に対しては、摩擦低減剤や極圧剤といった金属表面に吸着または配向する添加剤を使用することが一般的であるが、添加量が多いことや長期使用による劣化の観点から改良が望まれている。一方、金属吸着能を持つ官能基を付与した粘度指数向上剤が提案されている。そのような粘度指数向上剤としては、ヒドロキシル基含有粘度指数向上剤（特許文献１）、リン酸基含有粘度指数向上剤（特許文献２）、ポリシロキサン部位含有粘度指数向上剤（特許文献３）等が知られている。
しかしながら、上記の粘度指数向上剤は、エンジン油組成物に添加した場合に、金属摩擦能が十分でなく、１００℃ＨＴＨＳ粘度の低減に未だ十分でなく、剪断による粘度低減を受けやすく、また、低温での粘度が上昇するという問題があった。
【先行技術文献】
【特許文献】
【０００３】
【特許文献１】特許第２７３２１８７号公報
【特許文献２】特許第５１２２８７５号公報
【特許文献３】特開２０１３−２０９５５３号公報
【発明の概要】
【発明が解決しようとする課題】
【０００４】
本発明の目的は、潤滑油組成物の金属摩擦低減能が高く、潤滑油組成物の剪断安定性に優れ、潤滑油組成物のＨＴＨＳ粘度が低く、潤滑油組成物の低温粘度を上昇させにくい粘度指数向上剤を提供することである。
【課題を解決するための手段】
【０００５】
本発明者等は、鋭意検討した結果、本発明に至った。すなわち本発明は、下記一般式（１）で表される単量体（ａ）を必須構成単量体とする（共）重合体（Ａ）を含有する粘度指数向上剤、並びに前記粘度指数向上剤及び基油を含有してなる潤滑油組成物である。
【化１】
2016028138.tif 000002
［Ｒ１は水素原子又はメチル基；−Ｘ１−は−Ｏ−又は−ＮＨ−で表される基であって、Ｒ２は炭素数２〜４の直鎖又は分岐アルキレン基であり、ｐは０〜２０の整数であり、ｐが２以上の場合のＲ２は同一でも異なっていてもよく、（Ｒ２Ｏ）ｐ部分はランダム結合でもブロック結合でもよい；−Ｙ−は炭素数１〜５の直鎖又は分岐アルキレン基；Ｒ３はそれぞれ独立に炭素数１〜８のアルキル基］
【発明の効果】
【０００６】
本発明の粘度指数向上剤を含有してなる潤滑油組成物は、潤滑油組成物のＨＴＨＳ粘度が低く、省燃費性に優れ、潤滑油組成物の低温粘度を上昇させにくいという効果を奏する。
【発明を実施するための形態】
【０００７】
本発明における（共）重合体（Ａ）は、一般式（１）で表される単量体（ａ）を必須構成単量体とする。なお、「（共）重合」は、単独重合又は共重合を意味する。
【０００８】
一般式（１）におけるＲ１は、水素原子又はメチル基である。これらのうち、粘度指数向上効果の観点から好ましいのは、メチル基である。
【０００９】
一般式（１）における−Ｘ１−は−Ｏ−又は−ＮＨ−で表される基である。これらのうち基油への溶解性の観点から好ましいのは−Ｏ−である。
【００１０】
一般式（１）におけるＲ２は炭素数２〜４の直鎖又は分岐アルキレン基であり、エチレン基、プロピレン基、ブチレン基が挙げられる。プロピレン基としては、１，２−又は１，３−プロピレン基が挙げられる。
ブチレン基としては１，２−、１，３−又は１，４−ブチレン基等が挙げられる。これらのうち粘度指数向上効果の観点から好ましいのは、炭素数２〜３の直鎖又は分岐アルキレン基であるエチレン基、プロピレン基である。
【００１１】
一般式（１）におけるｐは０〜２０の整数であり、基油への溶解性及び潤滑油組成物の低温粘度の観点から、好ましくは０〜１０の整数である。更に好ましくは０〜５の整数である。ｐが２以上の場合のＲ２は同一でも異なっていてもよく、異なる場合はランダム結合でもブロック結合でもよい。潤滑油組成物の低温粘度の観点から好ましいのはランダム結合である。
【００１２】
一般式（１）におけるＹは炭素数１〜５の直鎖又は分岐アルキレン基であり、メチレン基、エチレン基、プロピレン基、ブチレン基等が挙げられる。プロピレン基としては、１，２−又は１，３−プロピレン基が挙げられる。ブチレン基としては１，２−、１，３−又は１，４−ブチレン基等が挙げられる。これらのうち粘度指数向上効果の観点から好ましいのは、炭素数１〜３の直鎖又は分岐アルキレン基である。
【００１３】
一般式（１）におけるＲ３はそれぞれ独立に炭素数１〜８のアルキル基であり、メチル基、エチル基、プロピル基、ブチル基、ヘキシル基、オクチル基等が挙げられる。これらのうち摩擦低減能および基油への溶解性の観点から好ましいのは、メチル基、エチル基、プロピル基、ブチル基であり、さらに好ましいのは炭素数１〜２のアルキル基であるメチル基、エチル基である。
【００１４】
（Ａ）の溶解性パラメーター（ＳＰ値）は、７．３〜９．８（ｃａｌ／ｃｍ３）１／２であり、粘度指数向上効果及び潤滑油組成物の低温粘度の観点から、好ましくは９．０〜９．５（ｃａｌ／ｃｍ３）１／２、更に好ましくは９．１〜９．３（ｃａｌ／ｃｍ３）１／２である。
（Ａ）のＳＰ値は、（Ａ）を構成する単量体それぞれのＳＰ値を前記の方法で算出し、それぞれの単量体のＳＰ値を、構成単量体単位のモル分率に基づいて平均した値である。
（Ａ）のＳＰ値は、使用する単量体のＳＰ値、モル分率を適宜調整することにより７．３〜９．８（ｃａｌ／ｃｍ３）１／２にすることができる。
【００１５】
（Ａ）のＳＰ値と基油のＳＰ値の差の絶対値は、粘度指数向上効果及び潤滑油への溶解性の観点から、好ましくは０．５〜１．６（ｃａｌ／ｃｍ３）１／２であり、更に好ましくは０．６〜１．２（ｃａｌ／ｃｍ３）１／２、特に好ましくは０．７〜１．０（ｃａｌ／ｃｍ３）１／２である。
【００１６】
（Ａ）は、単量体（ａ）に加え、アルキル基の炭素数１〜４の直鎖アルキル基を有する（メタ）アクリル酸アルキルエステル（ｂ）、アルキル基の炭素数１２〜３６の直鎖アルキル基を有する（メタ）アクリル酸アルキルエステル（ｃ）を構成単量体とする共重合体であることが、粘度指数向上効果及び省燃費性の観点から好ましい。
【００１７】
アルキル基の炭素数１〜４の直鎖アルキル基を有する（メタ）アクリル酸アルキルエステル（ｂ）としては、（メタ）アクリル酸メチル、（メタ）アクリル酸エチル、（メタ）アクリル酸ｎ−プロピル及び（メタ）アクリル酸ｎ−ブチルが挙げられる。（ｂ）のうち好ましいのは、（メタ）アクリル酸メチル及び（メタ）アクリル酸ｎ−ブチル、更に好ましいのは（メタ）アクリル酸メチル、特に好ましいのはメタクリル酸メチルである。
【００１８】
アルキル基の炭素数１２〜３６の直鎖アルキル基を有する（メタ）アクリル酸アルキルエステル（ｃ）としては、（メタ）アクリル酸ｎ−ドデシル、（メタ）アクリル酸ｎ−テトラデシル、（メタ）アクリル酸ｎ−ペンタデシル、（メタ）アクリル酸ｎ−ヘキサデシル、（メタ）アクリル酸ｎ−オクタデシル、（メタ）アクリル酸ｎ−イコシル、（メタ）アクリル酸ｎ−テトラコシル、（メタ）アクリル酸ｎ−トリアコンチル、（メタ）アクリル酸ｎ−ヘキサトリアコンチル等が挙げられる。
（ｃ）のうち好ましいのは、アルキル基の炭素数１２〜３０の直鎖アルキル基を有する（メタ）アクリル酸アルキルエステルであり、更に好ましいのはアルキル基の炭素数１４〜２４の直鎖アルキルを有する（メタ）アクリル酸エステル、特に好ましいのはアルキル基の炭素数１６〜２２の直鎖アルキルを有する（メタ）アクリル酸エステルである。
【００１９】
（Ａ）は、更に一般式（２）で表される単量体（ｄ）を構成単量体とする共重合体であることが、粘度指数向上効果の観点から好ましい。
【化２】
2016028138.tif 000003
［Ｒ４は水素原子又はメチル基；−Ｘ２−は−Ｏ−、−Ｏ（ＡＯ）ｍ−又は−ＮＨ−で表される基であって、Ａは炭素数２〜４の直鎖又は分岐アルキレン基であり、ｍは０〜２０の整数であり、ｍが２以上の場合のＡは同一でも異なっていてもよく、（ＡＯ）ｍ部分はランダム結合でもブロック結合でもよい；Ｒ５はイソブチレン及び／又は１，２−ブチレンを必須構成単位とする炭化水素重合体から水素原子を１つ除いた残基；ｑは０又は１の数］
【００２０】
一般式（２）におけるＲ４は水素原子又はメチル基である。
【００２１】
一般式（２）における−Ｘ２−は−Ｏ−、−Ｏ（ＡＯ）ｍ−又は−ＮＨ−で表される基であって、Ａは炭素数２〜４の直鎖又は分岐アルキレン基であり、エチレン基、プロピレン基、ブチレン基が挙げられる。プロピレン基としては、１，２−又は１，３−プロピレン基が挙げられる。
ブチレン基としては１，２−、１，３−又は１，４−ブチレン基等が挙げられる。これらのうち基油への溶解性の観点から好ましいのはプロピレン基、ブチレン基である。ｍは０〜２０の整数であり、ｍが２以上の場合のＡは同一でも異なっていてもよく、（ＡＯ）ｍ部分はランダム結合でもブロック結合でもよい。これらのうち基油への溶解性の観点から好ましいのは−Ｏ−である。
【００２２】
一般式（２）におけるＲ５はイソブチレン及び／又は１，２−ブチレンを必須構成単位とする炭化水素重合体から水素原子を１つ除いた残基であり、ｑは０又は１の数である。
【００２３】
（Ａ）は、更に一般式（３）で表される単量体（ｅ）を構成単量体とする共重合体であることが、粘度指数向上効果の観点から好ましい。
【化３】
2016028138.tif 000004
［Ｒ６は水素原子又はメチル基；−Ｘ３−は−Ｏ−又は−ＮＨ−で表される基；Ｒ７は炭素数２〜４の直鎖又は分岐アルキレン基；Ｒ８は炭素数１〜８の直鎖アルキル基；ｒは１〜２０の整数であり、ｒが２以上の場合のＲ７は同一でも異なっていてもよく、（Ｒ７Ｏ）ｒ部分はランダム結合でもブロック結合でもよい。］
【００２４】
一般式（３）におけるＲ６は水素原子又はメチル基である。
【００２５】
一般式（３）における−Ｘ３−は−Ｏ−又は−ＮＨ−で表される基であり、これらのうち基油への溶解性の観点から好ましいのは−Ｏ−である。
【００２６】
一般式（３）におけるＲ７は炭素数２〜４の直鎖又は分岐アルキレン基である。Ｒ７としてはエチレン基、プロピレン基、ブチレン基が挙げられる。プロピレン基としては、１，２−又は１，３−プロピレン基が挙げられる。
ブチレン基としては１，２−、１，３−又は１，４−ブチレン基等が挙げられる。これらのうち粘度指数向上効果の観点から好ましいのはエチレン基である。
また式中ｒは１〜２０の整数であり、ｒが２以上の場合のＲ７は同一でも異なっていてもよく、（Ｒ７Ｏ）ｒ部分はランダム結合でもブロック結合でもよい。
【００２７】
一般式（３）におけるＲ８は炭素数１〜８の直鎖アルキル基であり、メチル基、エチル基、ｎ−ブチル基、ｎ−ヘキシル基、ｎ−オクチル基等が挙げられる。粘度指数向上効果および基油への溶解性の観点から好ましいのは、メチル基、ｎ−ブチル基である。
【００２８】
（Ａ）は、更に一般式（４）で表される単量体（ｆ）を構成単量体とする共重合体であることが、粘度指数向上効果の観点から好ましい。
【化４】
2016028138.tif 000005
［Ｒ９は水素原子又はメチル基；−Ｘ４−は−Ｏ−又は−ＮＨ−で表される基；Ｒ１０は炭素数２〜４の直鎖又は分岐アルキレン基；Ｒ１１、Ｒ１２はそれぞれ独立に炭素数４〜２４の直鎖アルキル基；ｓは０〜２０の整数であり、ｓが２以上の場合のＲ１０は同一でも異なっていてもよく、（Ｒ１０Ｏ）ｓ部分はランダム結合でもブロック結合でもよい。］
【００２９】
一般式（４）におけるＲ９は水素原子又はメチル基である。
【００３０】
一般式（４）における−Ｘ４−は−Ｏ−又は−ＮＨ−で表される基であり、これらのうち基油への溶解性の観点から好ましいのは−Ｏ−である。
【００３１】
一般式（４）におけるＲ１０は炭素数２〜４の直鎖又は分岐アルキレン基である。Ｒ７としてはエチレン基、プロピレン基、ブチレン基が挙げられる。プロピレン基としては、１，２−又は１，３−プロピレン基が挙げられる。
ブチレン基としては１，２−、１，３−又は１，４−ブチレン基等が挙げられる。これらのうち粘度指数向上効果の観点から好ましいのはエチレン基である。
また式中ｓは０〜２０の整数であり、ｓが２以上の場合のＲ１０は同一でも異なっていてもよく、（Ｒ１０Ｏ）ｓ部分はランダム結合でもブロック結合でもよい。
【００３２】
一般式（４）におけるＲ１１、Ｒ１２はそれぞれ独立に炭素数４〜２４の直鎖アルキル基であり、ｎ−ブチル基、ｎ−ヘキシル基、ｎ−オクチル基、ｎ−デシル基、ｎ−ドデシル基、ｎ−テトラデシル基、ｎ−ヘキサデシル基、ｎ−オクタデシル基、ｎ−ウンデシル基、ｎ−ウンドデシル基、ｎ−ウンテトラデシル基等が挙げられる。これらのうち好ましいのはＲ１１、Ｒ１２の合計炭素数が１２〜４０の直鎖アルキル基の組み合わせ、さらに好ましいのはＲ１１、Ｒ１２の合計炭素数が１４〜３６の直鎖アルキル基の組み合わせ、特に好ましいのはＲ１１、Ｒ１２の合計炭素数が１８〜３２の直鎖アルキル基の組み合わせである。
【００３３】
粘度指数を向上させるために（Ａ）は、更に窒素原子含有単量体（但し、（ａ）と（ｄ）〜（ｆ）を除く）（ｇ）、水酸基含有ビニル単量体（ｈ）、及びリン原子含有ビニル単量体（ｉ）からなる群から選ばれる１種以上を構成単量体とする共重合体であってもよい。
窒素原子含有ビニル単量体（ｇ）としては、（ａ）と（ｄ）〜（ｆ）以外の以下の単量体（ｇ１）〜（ｇ４）が挙げられる。
【００３４】
アミド基含有ビニル単量体（ｇ１）：
（メタ）アクリルアミド、モノアルキルアミノ（メタ）アクリルアミド［窒素原子に炭素数１〜４のアルキル基が１つ結合したもの；例えばＮ−メチル（メタ）アクリルアミド、Ｎ−エチル（メタ）アクリルアミド、Ｎ−イソプロピル（メタ）アクリルアミド及びＮ−ｎ−又はイソブチル（メタ）アクリルアミド等］、モノアルキルアミノアルキル（メタ）アクリルアミド［窒素原子に炭素数１〜４のアルキル基が１つ結合したアミノアルキル基（炭素数２〜６）を有するもの；例えばＮ−メチルアミノエチル（メタ）アクリルアミド、Ｎ−エチルアミノエチル（メタ）アクリルアミド、Ｎ−イソプロピルアミノ−ｎ−ブチル（メタ）アクリルアミド及びＮ−ｎ−又はイソブチルアミノ−ｎ−ブチル（メタ）アクリルアミド等］、ジアルキルアミノ（メタ）アクリルアミド［窒素原子に炭素数１〜４のアルキル基が２つ結合したもの；例えばＮ，Ｎ−ジメチル（メタ）アクリルアミド、Ｎ，Ｎ−ジエチル（メタ）アクリルアミド、Ｎ，Ｎ−ジイソプロピル（メタ）アクリルアミド及びＮ，Ｎ−ジ−ｎ−ブチル（メタ）アクリルアミド等］、ジアルキルアミノアルキル（メタ）アクリルアミド［窒素原子に炭素数１〜４のアルキル基が２つ結合したアミノアルキル基（炭素数２〜６）を有するもの；例えばＮ，Ｎ−ジメチルアミノエチル（メタ）アクリルアミド、Ｎ，Ｎ−ジエチルアミノエチル（メタ）アクリルアミド、Ｎ，Ｎ−ジメチルアミノプロピル（メタ）アクリルアミド及びＮ，Ｎ−ジ−ｎ−ブチルアミノブチル（メタ）アクリルアミド等］、Ｎ−ビニルカルボン酸アミド［Ｎ−ビニルホルムアミド、Ｎ−ビニルアセトアミド、Ｎ−ビニル−ｎ−又はイソプロピオニルアミド及びＮ−ビニルヒドロキシアセトアミド等］等のアミド基のみに窒素原子を有するものが挙げられる。
【００３５】
ニトロ基含有単量体（ｇ２）：
４−ニトロスチレン等が挙げられる。
【００３６】
１〜３級アミノ基含有ビニル単量体（ｇ３）：
１級アミノ基含有ビニル単量体｛炭素数３〜６のアルケニルアミン［（メタ）アリルアミン及びクロチルアミン等］、アミノアルキル（炭素数２〜６）（メタ）アクリレート［アミノエチル（メタ）アクリレート等］｝；２級アミノ基含有ビニル単量体｛モノアルキルアミノアルキル（メタ）アクリレート［窒素原子に炭素数１〜６のアルキル基が１つ結合したアミノアルキル基（炭素数２〜６）を有するもの；例えばｔ−ブチルアミノエチル（メタ）アクリレート及びメチルアミノエチル（メタ）アクリレート等］、炭素数６〜１２のジアルケニルアミン［ジ（メタ）アリルアミン等］｝；３級アミノ基含有ビニル単量体｛ジアルキルアミノアルキル（メタ）アクリレート［窒素原子に炭素数１〜６のアルキル基が２つ結合したアミノアルキル基（炭素数２〜６）を有するもの；例えばジメチルアミノエチル（メタ）アクリレート及びジエチルアミノエチル（メタ）アクリレート等］、窒素原子を有する脂環式（メタ）アクリレート［モルホリノエチル（メタ）アクリレート等］、芳香族ビニル系単量体［Ｎ，Ｎ−ジフェニルアミノエチル（メタ）アクリルアミド、Ｎ，Ｎ−ジメチルアミノスチレン、４−ビニルピリジン、２−ビニルピリジン、Ｎ−ビニルピロール、Ｎ−ビニルピロリドン及びＮ−ビニルチオピロリドン等］｝、及びこれらの塩酸塩、硫酸塩、リン酸塩又は低級アルキル（炭素数１〜８）モノカルボン酸（酢酸及びプロピオン酸等）塩等が挙げられる。
【００３７】
ニトリル基含有ビニル単量体（ｇ４）：
（メタ）アクリロニトリル等が挙げられる。
【００３８】
（ｇ）のうち好ましいのは、（ｇ１）及び（ｇ３）であり、更に好ましいのは、Ｎ，Ｎ−ジフェニルアミノエチル（メタ）アクリルアミド、ジメチルアミノエチル（メタ）アクリルアミド、ジエチルアミノエチル（メタ）アクリルアミド、ジメチルアミノプロピル（メタ）アクリルアミド、ジメチルアミノエチル（メタ）アクリレート及びジエチルアミノエチル（メタ）アクリレートである。
【００３９】
水酸基含有ビニル単量体（ｈ）：
水酸基含有芳香族ビニル単量体（ｐ−ヒドロキシスチレン等）、ヒドロキシアルキル（炭素数２〜６）（メタ）アクリレート［２−ヒドロキシエチル（メタ）アクリレート、及び２−又は３−ヒドロキシプロピル（メタ）アクリレート等］、モノ−又はジ−ヒドロキシアルキル（炭素数１〜４）置換（メタ）アクリルアミド［Ｎ，Ｎ−ジヒドロキシメチル（メタ）アクリルアミド、Ｎ，Ｎ−ジヒドロキシプロピル（メタ）アクリルアミド、Ｎ，Ｎ−ジ−２−ヒドロキシブチル（メタ）アクリルアミド等］、ビニルアルコール、炭素数３〜１２のアルケノール［（メタ）アリルアルコール、クロチルアルコール、イソクロチルアルコール、１−オクテノール及び１−ウンデセノール等］、炭素数４〜１２のアルケンモノオール又はアルケンジオール［１−ブテン−３−オール、２−ブテン−１−オール及び２−ブテン−１，４−ジオール等］、ヒドロキシアルキル（炭素数１〜６）アルケニル（炭素数３〜１０）エーテル（２−ヒドロキシエチルプロペニルエーテル等）、多価（３〜８価）アルコール（グリセリン、ペンタエリスリトール、ソルビトール、ソルビタン、ジグリセリン、糖類及び蔗糖等）のアルケニル（炭素数３〜１０）エーテル又は（メタ）アクリレート［蔗糖（メタ）アリルエーテル等］等；
ポリオキシアルキレングリコール（アルキレン基の炭素数２〜４、重合度２〜５０）、ポリオキシアルキレンポリオール［上記３〜８価のアルコールのポリオキシアルキレンエーテル（アルキレン基の炭素数２〜４、重合度２〜１００）］、ポリオキシアルキレングリコール又はポリオキシアルキレンポリオールのアルキル（炭素数１〜４）エーテルのモノ（メタ）アクリレート［ポリエチレングリコール（数平均分子量、以下Ｍｎと略記する：１００〜３００）モノ（メタ）アクリレート、ポリプロピレングリコール（Ｍｎ：１３０〜５００）モノ（メタ）アクリレート、メトキシポリエチレングリコール（Ｍｎ：１１０〜３１０）（メタ）アクリレート等；が挙げられる。
【００４０】
リン原子含有単量体（ｉ）としては、以下の単量体（ｉ１）〜（ｉ２）が挙げられる。
【００４１】
リン酸エステル基含有単量体（ｉ１）：
（メタ）アクリロイロキシアルキル（炭素数２〜４）リン酸エステル［（メタ）アクリロイロキシエチルホスフェート及び（メタ）アクリロイロキシイソプロピルホスフェート］及びリン酸アルケニルエステル［リン酸ビニル、リン酸アリル、リン酸プロペニル、リン酸イソプロペニル、リン酸ブテニル、リン酸ペンテニル、リン酸オクテニル、リン酸デセニル及びリン酸ドデセニル等］等が挙げられる。
【００４２】
ホスホノ基含有単量体（ｉ２）：
（メタ）アクリロイルオキシアルキル（炭素数２〜４）ホスホン酸［（メタ）アクリロイルオキシエチルホスホン酸等]及びアルケニル（炭素数２〜１２）ホスホン酸［ビニルホスホン酸、アリルホスホン酸及びオクテニルホスホン酸等］等が挙げられる。
【００４３】
（ｉ）のうち好ましいのは（ｉ１）であり、更に好ましいのは（メタ）アクリロイロキシアルキル（炭素数２〜４）リン酸エステルであり、特に好ましいのは（メタ）アクリロイロキシエチルホスフェートである。
【００４４】
（Ａ）を構成する（ａ）の割合は、粘度指数向上効果及び潤滑油組成物の低温粘度の観点から、（Ａ）の重量に基づいて、好ましくは１〜６０重量％であり、更に好ましくは５〜５０重量％、特に好ましくは１０〜３０重量％である。
（Ａ）を構成する（ｂ）の割合は、粘度指数向上効果及び潤滑油基油への溶解性の観点から、（Ａ）の重量に基づいて、好ましくは０〜７０重量％であり、更に好ましくは５〜６０重量％、特に好ましくは２０〜５５重量％である。
（Ａ）を構成する（ｃ）の割合は、潤滑油基油への溶解性及び潤滑油組成物の低温粘度の観点から、（Ａ）の重量に基づいて、好ましくは１〜８０重量％であり、更に好ましくは１０〜７０重量％、特に好ましくは１５〜６０重量％である。
（Ａ）を構成する（ｄ）の割合は、粘度指数向上効果及び潤滑油組成物の低温粘度の観点から、（Ａ）の重量に基づいて、好ましくは１〜４０重量％であり、更に好ましくは５〜３０重量％、特に好ましくは１０〜２５重量％である。
（Ａ）を構成する（ｅ）の割合は、粘度指数向上効果及び潤滑油組成物の低温粘度の観点から、（Ａ）の重量に基づいて、好ましくは１〜３０重量％であり、更に好ましくは５〜２５重量％、特に好ましくは１０〜２０重量％である。
（Ａ）を構成する（ｆ）の割合は、粘度指数向上効果及び潤滑油組成物の低温粘度の観点から、（Ａ）の重量に基づいて、好ましくは０〜５０重量％であり、更に好ましくは５〜４０重量％、特に好ましくは１０〜３０重量％である。
（Ａ）を構成する（ｇ）〜（ｉ）の割合は、粘度指数向上効果及び潤滑油組成物の低温粘度の観点から、（Ａ）の重量に基づいて、好ましくは０〜１５重量％であり、更に好ましくは１〜１０重量％、特に好ましくは２〜８重量％である。
【００４５】
（Ａ）の重量平均分子量（以下Ｍｗと略記する）は、粘度指数向上効果及び潤滑油組成物の低温粘度の観点から、好ましくは５，０００〜２，０００，０００であり、更に好ましい範囲は、潤滑油組成物の用途によって異なり、表１に記載の範囲である。なお（Ａ）のＭｗは、ゲルパーミエーションクロマトグラフィー（以下ＧＰＣと略記）により以下の条件で測定することができる。
＜（Ａ）のＭｗの測定条件＞
装置      ：「ＨＬＣ−８０２Ａ」［東ソー（株）製］
カラム    ：「ＴＳＫ  ｇｅｌ  ＧＭＨ６」［東ソー（株）製］２本
測定温度  ：４０℃
試料溶液  ：０．２５重量％のテトラヒドロフラン溶液
溶液注入量：１００μｌ
検出装置  ：屈折率検出器
基準物質  ：標準ポリスチレン（ＴＳＫｓｔａｎｄａｒｄ ＰＯＬＹＳＴＹＲＥＮＥ）１２点（分子量：５００、１，０５０、２，８００、５，９７０、９，１００、１８，１００、３７，９００、９６，４００、１９０，０００、３５５，０００、１，０９０，０００、２，８９０，０００）［東ソー（株）製］
【００４６】
【表１】
2016028138.tif 000006
* ：オートマチックトランスミッション油
** ：ベルト−コンティニュアスリーバリュアブルトランスミッション油
*** ：マニュアルトランスミッション油
【００４７】
（Ａ）の結晶化温度は、潤滑油組成物の低温粘度の観点から好ましくは−２０℃以下であり、更に好ましくは−３０℃以下、特に好ましくは−４０℃以下、最も好ましくは−５０℃以下である。
なお、（Ａ）の結晶化温度は、示差走査熱量計「ユニックス（登録商標）ＤＳＣ７」（ＰＥＲＫＩＮ−ＥＬＭＥＲ社製）を使用し、（Ａ）５ｍｇを試料とし、１０℃／分の等温速度で１００℃から−６０℃まで冷却したときに観測される結晶化温度である。
【００４８】
（Ａ）は、公知の製造方法によって得ることができ、具体的には前記の単量体を溶剤中で重合触媒存在下に溶液重合することにより得る方法が挙げられる。
溶剤としては、トルエン、キシレン、炭素数９〜１０のアルキルベンゼン、メチルエチルケトン、酢酸エチル、鉱物油、エステル油等が挙げられる。
重合触媒としては、アゾ系触媒（アゾビスイソブチロニトリル及びアゾビスバレロニトリル等）、過酸化物系触媒（ベンゾイルパーオキサイド、クミルパーオキサイド及びラウリルパーオキサイド等）及びレドックス系触媒（ベンゾイルパーオキサイドと３級アミンの混合物等）が挙げられる。更に必要により、公知の連鎖移動剤（炭素数２〜２０のアルキルメルカプタン等）を使用することもできる。
重合温度は、好ましくは２５〜１５０℃であり、更に好ましくは５０〜１３０℃である。また、上記の溶液重合の他に、塊状重合、乳化重合又は懸濁重合により（Ａ）を得ることができる。
（Ａ）が共重合体である場合の重合形態としては、ランダム付加重合体又は交互共重合体のいずれでもよく、また、グラフト共重合体又はブロック共重合体のいずれでもよい。
【００４９】
本発明の粘度指数向上剤は、（Ａ）と、（Ａ）以外のアルキル（メタ）アクリル酸エステル（共）重合体（Ｂ）を併用してもよい。
（Ｂ）としては、（Ａ）以外のアルキル（メタ）アクリル酸エステル（共）重合体であれば特に限定しないが、炭素数１〜１８の直鎖アルキル基を有する（メタ）アクリル酸アルキルエステル（共）重合体等が挙げられる。
（Ｂ）の具体例としては、メタクリル酸ｎ−オクタデシル／メタクリル酸ｎ−ドデシル（モル比１０〜３０／９０〜７０）共重合体、メタクリル酸ｎ−テトラデシル／メタクリル酸ｎ−ドデシル（モル比１０〜３０／９０〜７０）共重合体、メタクリル酸ｎ−ヘキサデシル／メタクリル酸ｎ−ドデシル／メタクリル酸メチル（モル比２０〜４０／５５〜７５／０〜１０）共重合体及びアクリル酸ｎ−ドデシル／メタクリル酸ｎ−ドデシル（モル比１０〜４０／９０〜６０）共重合体等が挙げられ、これらは単独でも２種以上を併用してもよい。
【００５０】
（Ａ）と（Ｂ）を併用する場合の（Ｂ）の使用量は、（Ａ）の重量に基づいて、潤滑油組成物の低温粘度の観点から好ましくは０．０１〜３０重量％であり、更に好ましくは０．１〜２０重量％、特に好ましくは０．３〜１０重量％である。
【００５１】
本発明の潤滑油組成物は、本発明の粘度指数向上剤及び基油を含有してなる。基油としては、鉱物油（溶剤精製油、パラフィン油、イソパラフィンを含有する高粘度指数油、イソパラフィンの水素化分解による高粘度指数油及びナフテン油等）、合成潤滑油［炭化水素系合成潤滑油（ポリ−α−オレフィン系合成潤滑油等）及びエステル系合成潤滑油等］及びこれらの混合物が挙げられる。これらのうち好ましいのは鉱物油である。
【００５２】
基油の１００℃における動粘度（ＪＩＳ−Ｋ２２８３で測定したもの）は、粘度指数向上効果の観点から好ましくは１〜１５ｍｍ２／ｓであり、更に好ましくは２〜５ｍｍ２／ｓである。
基油の粘度指数（ＪＩＳ−Ｋ２２８３で測定したもの）は、粘度指数向上効果の観点から好ましくは９０以上であり、更に好ましくは１００以上、特に好ましくは１１０以上、最も好ましくは１２０以上である。
【００５３】
基油の曇り点（ＪＩＳ−Ｋ２２６９で測定したもの）は、好ましくは−５℃以下であり、更に好ましくは−１５℃以下である。基油の曇り点がこの範囲内であると潤滑油組成物の低温粘度が良好である。
【００５４】
本発明の潤滑油組成物における粘度指数向上剤中の（Ａ）の含有率は、基油の重量に基づいて、好ましくは１〜３０重量％である。
潤滑油組成物がエンジン油として使用される場合には、１００℃の動粘度が４〜１０ｍｍ２／ｓの基油に、（Ａ）を２〜１０重量％含有しているものが好ましい。
潤滑油組成物がギヤ油として使用される場合には、１００℃の動粘度が２〜１０ｍｍ２／ｓの基油に、（Ａ）を３〜３０重量％含有しているものが好ましい。
潤滑油組成物が自動変速機油（ＡＴＦ、ＭＴＦ及びｂｅｌｔ−ＣＶＴＦ等）として使用される場合には、１００℃の動粘度が２〜６ｍｍ２／ｓの基油に、（Ａ）を３〜２５重量％含有しているものが好ましい。
【００５５】
本発明の潤滑油組成物は、ギヤ油（デファレンシャル油及び工業用ギヤ油等）、ＭＴＦ、変速機油［ＡＴＦ及びｂｅｌｔ−ＣＶＴＦ等］、トラクション油（トロイダル−ＣＶＴＦ等）、ショックアブソーバー油、パワーステアリング油、作動油（建設機械用作動油及び工業用作動油等）及びエンジン油等に好適に用いられる。これらのうち好ましいのは、ギヤ油、ＭＴＦ、変速機油、トラクション油及びエンジン油であり、更に好ましいのはデファレンシャル油、ＭＴＦ、ＡＴＦ、ｂｅｌｔ−ＣＶＴＦ及びエンジン油であり、特に好ましいのはＭＴＦ、ＡＴＦ、ｂｅｌｔ−ＣＶＴＦ及びエンジン油である。
【００５６】
本発明の潤滑油組成物は、各種添加剤を含有してもよい。添加剤としては、以下のものが挙げられる。
（１）清浄剤：
塩基性、過塩基性又は中性の金属塩［スルフォネート（石油スルフォネート、アルキルベンゼンスルフォネート及びアルキルナフタレンスルフォネート等）の過塩基性又はアルカリ土類金属塩等］、サリシレート類、フェネート類、ナフテネート類、カーボネート類、フォスフォネート類及びこれらの混合物；
（２）分散剤：
コハク酸イミド類（ビス−又はモノ−ポリブテニルコハク酸イミド類）、マンニッヒ縮合物及びボレート類等；
（３）酸化防止剤：
ヒンダードフェノール類及び芳香族２級アミン類等；
（４）油性向上剤：
長鎖脂肪酸及びそれらのエステル（オレイン酸及びオレイン酸エステル等）、長鎖アミン及びそれらのアミド（オレイルアミン及びオレイルアミド等）等；
（５）摩擦摩耗調整剤：
モリブデン系及び亜鉛系化合物（モリブデンジチオフォスフェート、モリブデンジチオカーバメート及びジンクジアルキルジチオフォスフェート等）等；
（６）極圧剤：
硫黄系化合物（モノ又はジスルフィド、スルフォキシド及び硫黄フォスファイド化合物）、フォスファイド化合物及び塩素系化合物（塩素化パラフィン等）等；
（７）消泡剤：
シリコン油、金属石けん、脂肪酸エステル及びフォスフェート化合物等；
（８）抗乳化剤：
４級アンモニウム塩（テトラアルキルアンモニウム塩等）、硫酸化油及びフォスフェート（ポリオキシエチレン含有非イオン性界面活性剤のフォスフェート等）等；
（９）腐食防止剤：
窒素原子含有化合物（ベンゾトリアゾール及び１，３，４−チオジアゾリル−２，５−ビスジアルキルジチオカーバメート等）等。
【００５７】
これらの添加剤は１種だけ使用してもよいし、必要に応じて２つ以上の添加剤を使用することもできる。
【００５８】
以下、実施例により本発明を詳細に説明するが、本発明はこれらに限定されるものではない。
【００５９】
＜製造例１＞
温度調節装置及び撹拌機を備えたＳＵＳ製耐圧反応容器に、末端不飽和基含有ポリブテン（商品名；「日油ポリブテン２００Ｎ」、日油（株）製、Ｍｎ：２，６５０］５３０重量部及び無水マレイン酸［和光純薬（株）製］２５重量部を投入し、容器内部を窒素置換した。撹拌下２２０℃に昇温後、同温度で４時間エン反応を行った。次いで減圧下（０．０２７〜０．０４０ＭＰａ）未反応の無水マレイン酸を２時間かけて除去した。続いて２５℃まで冷却し、２−アミノエタノール２０重量部を投入して、撹拌下１３０℃に昇温後、同温度で４時間イミド化反応を行った。１２０〜１３０℃で減圧下（０．０２７〜０．０４０ＭＰａ）未反応の２−アミノアルコールを５時間かけて除去し、片末端水酸基含有重合体（Ｍ−１）を得た。
【００６０】
＜実施例１〜９、比較例１〜５＞
撹拌装置、加熱冷却装置、温度計及び窒素導入管を備えた反応容器に、基油［ＳＰ値：８．３（ｃａｌ／ｃｍ３）１／２、１００℃の動粘度：４．２ｍｍ２／ｓ、粘度指数：１２８］２００重量部、表２に記載の単量体配合物１００重量部、２，２’−アゾビス（２，４−ジメチルバレロニトリル）０．５重量部及び２，２’−アゾビス（２−メチルブチロニトリル）０．２重量部を投入し、窒素置換（気相酸素濃度１００ｐｐｍ）を行った後、密閉下、撹拌しながら７６℃に昇温し、同温度で６時間重合反応を行った。１２０〜１３０℃に昇温後、同温度で減圧下（０．０２７〜０．０４０ＭＰａ）未反応の単量体を２時間かけて除去し、共重合体（Ａ１）〜（Ａ９）、（Ｈ１）〜（Ｈ５）からなる粘度指数向上剤（Ｒ１）〜（Ｒ９）、（Ｓ１）〜（Ｓ５）を得た。得られた共重合体（Ａ１）〜（Ａ９）、（Ｈ１）〜（Ｈ５）のＳＰ値を上記の方法で計算し、Ｍｗを上記のＧＰＣを用いて測定した。また、粘度指数向上剤（Ｒ１）〜（Ｒ９）、（Ｓ１）〜（Ｓ５）の基油溶解性を以下の方法で評価した。結果を表２に示す。
【００６１】
＜粘度指数向上剤の基油溶解性の評価方法＞
粘度指数向上剤（Ｒ１）〜（Ｒ９）、（Ｓ１）〜（Ｓ５）の外観を目視で観察し、以下の評価基準で基油溶解性を評価した。
［評価基準］
○：外観が均一であり、共重合体の不溶解物がない
×：外観が不均一であり、共重合体の不溶解物が認められる
【００６２】
【表２】
2016028138.tif 000007
【００６３】
表２に記載の単量体は、以下に記載した通りである。
（Ｍ−２）：水素化ポリブタジエンの片末端水酸基含有重合体（商品名；Ｋｒａｓｏｌ  ＨＬＢＨ−５０００Ｍ、ＣｒａｙＶａｌｌｅｙ製、１，２−ブチレン比率；６５モル％、水酸基価；１０．４ｍｇＫＯＨ／ｇ、Ｍｎ：５，０００、ＳＰ値：８．３）
（ａ−１）：３−メタクリロキシプロピルトリメトキシシラン（商品名；ＫＢＭ−５０３、信越化学社製）
（ａ−２）：３−メタクリロキシプロピルトリエトキシシラン（商品名；ＫＢＥ−５０３、信越化学社製）
（ａ−３）：３−アクリロキシプロピルトリメトキシシラン（商品名；ＫＢＭ−５１０３、信越化学社製）
（ａ−４）：３−メタクリロキシメチルトリエトキシシラン（商品名；ＳＩＭ６４８２．０、アヅマックス株式会社製）
（ｂ−１）：メタクリル酸メチル
（ｂ−２）：メタクリル酸ｎ−ブチル
（ｃ−１）：メタクリル酸ｎ−ドデシル
（ｃ−２）：メタクリル酸ｎ−テトラデシル
（ｃ−３）：メタクリル酸ｎ−ヘキサデシル
（ｃ−４）：メタクリル酸ｎ−オクタデシル
（ｃ−５）：メタクリル酸ｎ−ベヘニル
（ｄ−１）：（Ｍ−１）のメタクリル酸エステル化物
（ｄ−２）：（Ｍ−２）のメタクリル酸エステル化物
（ｅ−１）：ｎ−ブトキシエチルメタクリレート
（ｆ−１）：２−ｎ−デシル−ｎ−テトラデシルメタクリレート
（ｈ−１）：２−メタクリロイルオキシエチルホスフェート（商品名；ライトエステルＰ１−Ｍ、共栄社化学社製）
（ｉ−１）： ヒドロキシエチルメタクリレート
【００６４】
＜実施例１０〜１８、比較例６〜１０＞
撹拌装置を備えたステンレス製容器に、基油［ＳＰ値：８．３（ｃａｌ／ｃｍ３）１／２、１００℃の動粘度：４．２ｍｍ２／ｓ、粘度指数：１２８］を投入し、得られる潤滑油組成物の１５０℃のＨＴＨＳ粘度が２．６（ｍｍ２／ｓ）になるように、それぞれ粘度指数向上剤（Ｒ１）〜（Ｒ９）、（Ｓ１）〜（Ｓ５）を添加し、潤滑油組成物（Ｘ１）〜（Ｘ９）、（Ｙ１）〜（Ｙ５）を得た。
潤滑油組成物（Ｘ１）〜（Ｘ９）、（Ｙ１）〜（Ｙ５）の動粘度（４０℃、１００℃）、粘度指数、ＨＴＨＳ粘度（１００℃）、せん断安定性、低温粘度（−４０℃）、摩擦係数および磨耗痕径を以下の方法で測定した。結果を表３に示す。
【００６５】
＜潤滑油組成物のＨＴＨＳ粘度の測定方法＞
ＡＳＴＭ  Ｄ  ４６８３の方法で１５０℃及び１００℃のＨＴＨＳ粘度を測定した。
【００６６】
＜潤滑油組成物の動粘度及び粘度指数の測定方法＞
ＪＩＳ−Ｋ２２８３の方法で測定した。
【００６７】
＜潤滑油組成物のせん断安定性の測定方法＞
ＡＳＴＭ  Ｄ  ６２７８の方法で測定し、ＡＳＴＭ  Ｄ  ６０２２の方法で計算した。
【００６８】
＜潤滑油組成物の低温粘度の測定方法＞
ＡＳＴＭ  Ｄ  ４６８４の方法で−４０℃での粘度及び降伏応力を測定した。ここで降伏応力３５Ｐａ以下であることが、降伏応力が無いことを示す。
【００６９】
＜潤滑油組成物の摩擦係数及び磨耗痕径の測定方法＞
Ｈｉｇｈ−Ｆｒｅｑｕｅｎｃｙ−Ｒｅｃｉｐｒｏｃａｔｉｎｇ−Ｒｉｇ（ＨＦＲＲ  ＰＣＳインスツルメント社製）、試験鋼球の材質はＳＵＪ２、試験鋼球の直径は６ｍｍ、試験円盤の材質はＳＵＪ２を用いた。荷重７．８４Ｎ（８００ｇ）、ストローク１０００μｍ、周波数２０Ｈｚ、試験時間６０ｍｉｎ、温度１００℃にて試験を行い、摩擦係数を測定した。また、試験終了後に摩耗痕径を測定した。
【００７０】
【表３】
2016028138.tif 000008
【００７１】
表３の結果から明らかなように、本発明の粘度指数向上剤を含有してなる潤滑油組成物（実施例１０〜１８）は、比較例６〜１０の潤滑油組成物と比較して、金属摩擦低減能が高く、剪断安定性に優れ、潤滑油組成物のＨＴＨＳ粘度が低く、潤滑油組成物の低温粘度を上昇させにくい。
【産業上の利用可能性】
【００７２】
本発明の粘度指数向上剤を含有してなる潤滑油組成物は、駆動系潤滑油（ＭＴＦ、デファレンシャルギヤ油、ＡＴＦ及びｂｅｌｔ−ＣＶＴＦ等）、作動油（機械の作動油、パワーステアリング油及びショックアブソーバー油等）、エンジン油（ガソリン用及びディーゼル用等）及びトラクション油として好適である。